(57)【要約】【課題】切換ノブの連結ピンに対する連結状態を適正に維持して、窓用付属金具の切り換え操作を円滑に行なえる操作具を提供する。【解決手段】窓用の付属金具４に設けた連結ピン２６は、係合軸部３５とフランジ３６とを備えている。連結ピン２６に連結される操作具１０は、ノブ腕４０と、ノブ本体４１とロック体４２などで構成する。ノブ腕４０には、係合軸部３５に差し込み係合される連結穴４８を設ける。ロック体４２の板面には、フランジ３６と係合するロック穴６１を設ける。ロック体４２は、ロック穴６１がフランジ３６と係合するロック姿勢と、ロック穴６１がフランジ３６から分離するロック解除姿勢とに変位でき、ロックばね４３でロック付勢する。連結穴４８が係合軸部３５に係合する状態において、ロック体４２のロック穴６１をフランジ３６に係合して、操作具１０をぐらつきのない状態でロック保持する。【選択図】図１
2010116742.tif 000002
【特許請求の範囲】
【請求項１】
窓用の付属金具（４）に設けた連結ピン（２６）に着脱される操作具（１０）であって、
連結ピン（２６）は付属金具（４）の外面に露出する係合軸部（３５）と、係合軸部（３５）に張り出されるフランジ３６とを備えており、
操作具（１０）は、連結ピン（２６）の係合軸部（３５）に差し込み係合される連結穴（４８）を備えた金属板製のノブ腕（４０）と、ノブ腕（４０）の一端に固定されるノブ本体（４１）と、ノブ腕（４０）に装着されるロック体（４２）とを含み、
ロック体（４２）の板面には、連結ピン（２６）のフランジ（３６）と係合するロック穴（６１）が設けられており、
ロック体（４２）は、ロック穴（６１）がフランジ（３６）と係合するロック姿勢と、ロック穴（６１）がフランジ（３６）から分離するロック解除姿勢とに変位可能で、ロックばね（４３）でロック姿勢へ向かって復帰付勢されており、
ノブ腕（４０）の連結穴（４８）が連結ピン（２６）の係合軸部（３５）に係合する状態において、ロック体（４２）のロック穴（６１）がフランジ（３６）と係合して操作具（１０）をロック保持している窓用付属金具の操作具。
【請求項２】
付属金具（４）に複数個の連結ピン（２６）が設けられており、
ロック体（４２）が板ばねで形成されてロックばね（４３）を兼ねており、
ノブ腕（４０）は、付属金具（４）の外面に外接する係合座（４５）と、係合座（４５）の一側端に連続して折り曲げられる腕部（４６）とを含み、
係合座（４５）と腕部（４６）との隣接隅部から係合座（４５）の面壁にわたって、連結ピン（２６）と係合する複数個の連結穴（４８）が形成されており、
ロック体（４２）は、係合座（４５）および腕部（４６）に沿って折り曲げられるロック座（５８）およびロック腕（５９）と、ロック体（４２）をロック解除操作する操作部（６０）とを備えており、
ロック座（５９）に、フランジ（３６）と係合するロック穴（６１）が形成されており、
ロック座（５９）の周辺部が係合座（４５）に装着してある請求項１記載の窓用付属金具の操作具。
【請求項３】
シール隙間（Ｅ）を内外に横断する腕部（４６）の板面に、開口（５０）が形成されており、
ロック腕（５９）に、前記開口（５０）に嵌まり込む段部（６７）と広幅腕部（６６）とが形成してある請求項２に記載の窓用付属金具の操作具。
【請求項４】
ノブ本体（４１）にノブ腕（４０）の締結座（４７）がビス止めされており、
ノブ本体（４１）に設けた凹部（５３）内に、ロック体（４２）の操作部（６０）が収容してある請求項２または３に記載の窓用付属金具の操作具。
【請求項５】
連結穴（４８）の係合始端に臨むロック座（５８）の周縁に、フランジ（３６）をロック穴（６１）へ向かって導入案内するガイド爪（６２）が折り起し形成されており、
ロック腕（５９）の板面に操作窓（６８）が開口してある請求項２、３または４に記載の窓用付属金具の操作具。
【請求項６】
断面コ字状に折り曲げ形成した操作部（６０）の凹壁の板面にビス穴（７１）が形成されており、
操作具（１０）が連結ピン（２６）に連結され、ロック体（４２）がロック姿勢に切り換わった状態において、ビス穴（７１）に挿通したビスをノブ本体（４１）にねじ込んで、ロック体（４２）を連結ピン（２６）に対して分離不能に固定できる請求項２、３、４または５に記載の窓用付属金具の操作具。
【請求項７】
付属金具（４）に複数個の連結ピン（２６）が設けられており、
ロック体（４２）が板ばねで形成されてロックばね（４３）を兼ねており、
ノブ腕（４０）は、付属金具（４）の外面に外接する係合座（４５）と、係合座（４５）の一側端に連続して折り曲げられる腕部（４６）とを含み、
係合座（４５）と腕部（４６）との隣接隅部から係合座（４５）の面壁にわたって、連結ピン（２６）と係合する複数個の連結穴（４８）が形成されており、
ロック体（４２）は、周辺部が係合座（４５）に装着されて係合座（４５）に接合するロック座（５８）を備えており、
ロック座（５８）に、フランジ（３６）と係合する複数個の凹部状のロック穴（６１）と、フランジ（３６）をロック穴（６１）へ向かって導入案内するガイド爪（７９）とが形成してある請求項１記載の窓用付属金具の操作具。
【発明の詳細な説明】
【技術分野】
【０００１】
本発明は、例えば換気ステーなどの窓用付属金具を切り換え操作するための操作具に関する。
【背景技術】
【０００２】
この種の操作具は、本出願人の提案に係る特許文献１に開示されている。そこでは、いたずら防止のために、切換ノブ（操作具）を換気ステーのスライダーに設けた連結ピンに対して着脱可能として、いたずらなどによって窓が全開放されるのを防止している。図１５および図１６に示すように切換ノブ９０は、ステンレス薄板を素材にして階段状に折り曲げられるノブ腕９１と、ノブ腕９１の室内側の端部に固定されるノブ本体９２とで構成してある。
【０００３】
ノブ腕９１は、窓と開口枠との間のシール隙間を内外に横断する腕部９３と、腕部９３の一端から室外側へ向かって折り曲げられる係合座９４と、腕部９３の他端から室内側へ向かって折り曲げられる締結座９５とを一体に備えている。係合座９４の座面には一対の連結穴９６が開口してあり、これらの連結穴９６を換気ステーのスライダー２５に設けた連結ピン２６に差し込み係合することにより、切換ノブ９０とスライダー２５とが一体化される。この状態のスライダー２５および牽制アーム８を切換ノブ９０で上下スライド操作して、換気開放可能な状態と全開放可能な状態とに切り換え操作できる。常態における切換ノブ９０は連結ピン２６から取り外されて別の場所に保管してある。
【０００４】
図１５に示すように連結ピン２６はスライダー２５を貫通する軸部３４と、スライダー２５の外面に露出する係合軸部３５と、係合軸部３５の外端に張り出し形成されるフランジ３６とを一体に備えており、牽制アーム８をスライド操作するための操作板２０をスライダー２５にかしめ固定している。切換ノブ９０の係合座９４に設けた連結穴９６は、フランジ３６とスライダー２５の外面との間の隙間に入り込んで係合軸部３５と係合する。この係合状態における係合座９４は、スライダー２５の外面壁に密着している。
【０００５】
【特許文献１】特開２００１−２８８９４９号公報（段落番号００２１、図１）
【発明の開示】
【発明が解決しようとする課題】
【０００６】
上記の換気ステーにおいては、係合座９４に設けた連結穴９６をスライダー２５に設けた連結ピン２６に差し込み係合して、係合座９４のばね作用で切換ノブ９０の装着状態を維持していた。そのため、フランジ３６のスライダー表面からの突出寸法Ｈにばらつきがある場合や、あるいは係合座９４の曲げ角度や連結穴９６の寸法にばらつきがある場合などに、係合座９４を連結ピン２６に対して適正に連結できないことがある。例えば、連結穴９６を連結ピン２６に差し込み係合するのが困難となったり、スライダー２５を切換ノブ９０で上下に切り換え操作するとき、切換ノブ９０がぐらつくことがあった。
【０００７】
本発明の目的は、切換ノブの連結ピンに対する連結状態を適正に維持して、窓用付属金具の切り換え操作を円滑に行なえる操作具を提供することにある。本発明の目的は、切換ノブを使用する既存の窓用付属金具にも適用して、切換ノブの着脱や、切換ノブによる窓用付属金具の切り換え操作を円滑に行なえる操作具を提供することにある。
【課題を解決するための手段】
【０００８】
本発明は、窓用の付属金具４に設けた連結ピン２６に着脱することができる操作具１０に係る。連結ピン２６は付属金具４の外面に露出する係合軸部３５と、係合軸部３５に張り出されるフランジ３６とを備えている。操作具１０は、連結ピン２６の係合軸部３５に差し込み係合される連結穴４８を備えた金属板製のノブ腕４０と、ノブ腕４０の一端に固定されるノブ本体４１と、ノブ腕４０に装着されるロック体４２とを含む。ロック体４２の板面には、連結ピン２６のフランジ３６と係合するロック穴６１を設ける。ロック体４２は、ロック穴６１がフランジ３６と係合するロック姿勢と、ロック穴６１がフランジ３６から分離するロック解除姿勢とに変位可能で、ロックばね４３でロック姿勢へ向かって復帰付勢してある。以て、ノブ腕４０の連結穴４８が連結ピン２６の係合軸部３５に係合する状態において、ロック体４２のロック穴６１がフランジ３６と係合して操作具１０をロック保持できることを特徴とする。
【０００９】
具体的には、付属金具４に複数個の連結ピン２６を設ける。ロック体４２を板ばねで形成して、ロック体４２がロックばね４３を兼ねるようにする。ノブ腕４０は、付属金具４の外面に外接する係合座４５と、係合座４５の一側端に連続して折り曲げられる腕部４６とを含む。係合座４５と腕部４６との隣接隅部から係合座４５の面壁にわたって、連結ピン２６と係合する複数個の連結穴４８を形成する。ロック体４２は、係合座４５および腕部４６に沿って折り曲げられるロック座５８およびロック腕５９と、ロック体４２をロック解除操作する操作部６０とを備えている。ロック座５９に、フランジ３６と係合するロック穴６１を形成する。ロック座５９の周辺部を係合座４５に装着する。
【００１０】
シール隙間Ｅを内外に横断する腕部４６の板面に、開口５０を形成する。ロック腕５９に、前記開口５０に嵌まり込む段部６７と広幅腕部６６とを形成する。
【００１１】
ノブ本体４１にノブ腕４０の締結座４７をビス止めする。ノブ本体４１に設けた凹部５３内に、ロック体４２の操作部６０を収容する。
【００１２】
連結穴４８の係合始端に臨むロック座５８の周縁に、フランジ３６をロック穴６１へ向かって導入案内するガイド爪６２を折り起し形成する。ロック腕５９の板面に操作窓６８を開口する。
【００１３】
断面コ字状に折り曲げ形成した操作部６０の凹壁の板面にビス穴７１を形成する。操作具１０が連結ピン２６に連結され、ロック体４２がロック姿勢に切り換わった状態において、ビス穴７１に挿通したビスをノブ本体４１にねじ込んで、ロック体４２を連結ピン２６に対して分離不能に固定する。
【００１４】
具体的には、付属金具４に複数個の連結ピン２６を設ける。ロック体４２を板ばねで形成して、ロック体４２がロックばね４３を兼ねるようにする。ノブ腕４０は、付属金具４の外面に外接する係合座４５と、係合座４５の一側端に連続して折り曲げられる腕部４６とを含む。係合座４５と腕部４６との隣接隅部から係合座４５の面壁にわたって、連結ピン２６と係合する複数個の連結穴４８を形成する。ロック体４２は、周辺部が係合座４５に装着されて係合座４５に接合するロック座５８を備えている。ロック座５８に、フランジ３６と係合する複数個の凹部状のロック穴６１と、フランジ３６をロック穴６１へ向かって導入案内するガイド爪７９を形成する。
【発明の効果】
【００１５】
本発明では、連結穴４８を備えたノブ腕４０と、ノブ腕４０の一端に固定されるノブ本体４１と、ノブ腕４０に装着されるロック体４２と、ロックばね４３などで操作具１０を構成した。以て、ノブ腕４０の連結穴４８を連結ピン２６の係合軸部３５に係合した状態において、ロック体４２のロック穴６１がフランジ３６と係合して操作具１０を連結ピン２６に対してロック保持できるようにした。このように、ロック体４２を備えた操作具１０によれば、ロック穴６１とフランジ３６とが係合することで、連結ピン２６に連結した操作具１０がぐらつき、あるいは連結ピン２６から分離するのを確実に防止して、操作具１０と連結ピン２６とを適正な連結状態に維持できるので、窓用付属金具４の切り換え操作を円滑に行なえる。
【００１６】
また、切換ノブと連結ピンおよびスライダーなどの摩擦力によって、切換ノブの装着状態を維持する必要があった従来の操作具とは異なり、本発明では、ロック穴６１とフランジ３６とが係合することで操作具１０の適正な連結状態を維持する。そのため、連結穴を無理やり係合軸部に差し込み係合して大きな摩擦力を発揮させることで、操作具の適正な連結状態を維持する必要がなく、ノブ腕４０の連結ピン２６に対する装着を簡便に行える。さらに、ロック体４２ロック解除操作することで操作具１０を連結ピン２６から簡単に取り外すことができる。操作対象となる連結ピン２６の構造、寸法および配置寸法が従来の窓用付属金具４と同じである場合には、ロック体４２を備えている操作具１０でありながら、既存の窓用付属金具４にもそのまま適用して、操作具１０の着脱や、操作具１０による窓用付属金具４の切り換え操作を円滑に行なえる。
【００１７】
付属金具４に複数個の連結ピン２６が設けてある場合に、複数個の連結穴４８を備えた係合座４５と腕部４６などでノブ腕４０を構成し、係合座４５および腕部４６に沿って折り曲げられるロック座５８およびロック腕５９と、ロック解除用の操作部６０などでロック体４２を構成した操作具１０によれば、操作具１０と連結ピン２６とをさらに強固に連結できる。複数個の連結穴４８を複数個の連結ピン２６の係合軸部３５に同時に係合させ、同時に、ロック座５９に設けた複数個のロック穴６１をフランジ３６と係合できるからである。
【００１８】
また、ロック体４２を板ばねで形成して、ロック体４２がロックばね４３を兼ねるようにすると、ロックばね４３を別途設ける必要がないので、その分だけ操作具１０の構造を簡素化できる。さらに、ロック体４２にロック解除用の操作部６０を設けることにより、ロック体４２の構造を簡素化でき、全体として加工および組立に要する手間を省いて操作具１０の製造に要するコストを削減できる。ロック腕５９に連続して操作部６０を設けるので、操作部６０によるロック解除動作を確実にロック腕５９およびロック座５８に伝えて、ロック穴６１とフランジ３６との係合状態を確実に解除できる。ノブ腕４０の腕部４６が窓２と開口枠１とのシール隙間Ｅを横断する操作具１０である場合には、ロック座５８およびロック腕５９を係合座４５および腕部４６に沿って折り曲げることにより、シール隙間Ｅを横断する腕部４６とロック腕５の合計厚みを小さくでき、その分だけシール体Ｓの変形量を小さくして耐久性の低下を阻止できる。
【００１９】
シール隙間Ｅを内外に横断する腕部４６の板面に開口５０を形成し、この開口５０に嵌まり込む段部６７と広幅腕部６６とをロック腕５９に形成すると、ロック体４２をノブ腕４０に組み付けた状態において、段部６７と広幅腕部６６を開口５０の厚み範囲内に収容できる。したがって、先に説明したシール隙間Ｅを横断する個所の厚みを、ノブ腕４０の厚みだけに減少できるので、シール体Ｓの変形量をさらに減少して耐久性を向上できる。
【００２０】
ノブ本体４１にノブ腕４０の締結座４７をビス止めし、ノブ本体４１に設けた凹部５３内にロック体４２の操作部６０を収容する操作具１０によれば、ロック体４２が付加してあるにもかかわらず、ノブ本体４１の周辺部における操作具１０の外郭形状を従来の操作具と殆ど同じにできる。したがって、操作部６０がノブ本体４１の外面に設けられる場合に比べて、ノブ本体４１、およびその周辺部の構造や形状を大きく変更する必要がなく、従来のノブ本体４１の構造を一部変更する程度でロック体４２を付加できるので、ロック機能を追加するのに要するコストを減少できる。また、ノブ本体４１を掴んだ状態のままでロック体４２をロック解除操作できるので、ノブ本体４１の取り外しを片方の手のみで簡便に行なえる。
【００２１】
連結穴４８の係合始端に臨むロック座５８の周縁にガイド爪６２を折り起し形成し、このガイド爪６２でフランジ３６をロック穴６１へ向かって導入案内する操作具１０によれば、ロック座５８が係合軸部３５の側へもぐり込むのを確実に防止しながら、フランジ３６をガイド爪６２でロック座５８と係合座４５との間に導入案内できる。したがって、操作具１０の連結ピン２６に対する連結をさらに簡便化して確実なものとすることができる。また、ロック腕５９の板面に操作窓６８を開口することにより、ノブ本体４１を掴んだ状態のままで操作窓６８を操作してロック体４２をロック解除操作できるので、この場合もノブ本体４１の取り外しを片方の手のみで簡便に行なえる。
【００２２】
付属金具４に複数個の連結ピン２６が設けてある場合に、複数個の連結穴４８を備えた係合座４５と腕部４６などでノブ腕４０を構成し、係合座４５に接合するロック座５８でロック体４２を構成し、ロック座５８に、フランジ３６と係合する複数個の凹部状のロック穴６１を設ける操作具１０によれば、先に説明した操作具と同様に、操作具１０と連結ピン２６とをさらに強固に連結できる。
【００２３】
操作部６０の凹壁の板面にビス穴７１を形成しておき、ロック体４２がロック姿勢に切り換わった状態において、ビス穴７１に挿通したビスをノブ本体４１にねじ込み固定する操作具１０によれば、ロック体４２をロック解除操作不能に固定できる。したがって、ロック体４２を連結ピン２６に対して分離不能に固定して、操作具１０を付属金具４に常に装着した状態とすることができる。
【００２４】
凹部状（有底穴状）のロック穴６１を備えたロック体４２は、板ばねで形成したロック座５８の弾性力によって、ロック穴６１とフランジ３６との係合状態を維持するので、操作具１０にロック座５８の弾性力を越える外力を加えることで、ロック穴６１とフランジ３６との係合状態を解除することができる。したがって、別途ロック解除構造を設ける必要がなく、その分だけロック体４２の構造を簡素化して操作具１０を低コスト化できる。操作具１０の連結ピン２６からの取り外し操作も簡便化できる。また、ロック座５８にガイド爪７９を形成し、このガイド爪７９でフランジ３６をロック穴６１へ向かって導入案内する操作具１０によれば、ロック座５８がフランジ３６に乗り上がるのをガイド爪７９で補助して、ロック穴６１をフランジ３６に確実に係合させることができる。したがって、操作具１０の連結ピン２６に対する連結をさらに簡便化して確実なものとすることができる。
【発明を実施するための最良の形態】
【００２５】
（実施例）  図１ないし図１０は本発明を換気ステーの操作具に適用した実施例を示す。図２において、符号１はアルミニウムサッシュで構成された開口枠、符号２は窓である。窓２は開口枠１に固定した上下一対のヒンジ３で揺動開閉自在に支持してある。窓２を閉じた状態においては、図示していない錠で窓２を閉じ位置に固定保持できる。閉じ状態の操作窓２を、換気位置と全開放位置とに解放するために、窓２の揺動先端側の窓縦枠と開口枠１との間の接合隙間に換気ステー４（窓用付属金具）が配置してある。
【００２６】
図３において換気ステー４は、開口枠１にビス固定されるベース６と、ベース６に固定した支軸７で開口枠１の内外方向へ揺動自在に支持した牽制アーム８と、窓２の窓縦枠に固定した掛止ピン９と、牽制アーム８を待機位置と作動位置に切り換えるための切り換え構造と、室内側から切り換え構造を操作する切換ノブ（操作具）１０などで構成する。図４および図５に示すように、ベース６は一側に断面Ｃ字状のガイド溝１２を設け、他側に板状壁１３を設けたアルミニウム製の押し出し材からなる。板状壁１３の屋外側の端縁には、後述するストッパーピン２３の出入りを許す切欠部１４が形成してある（図３参照）。ベース６に切換ノブ１０や牽制アーム８、およびスライダー２５などが一体的に組み付けられる。板状壁１３の上下２個所をビスで締結することにより、ベース６は開口枠１に固定される。
【００２７】
図３において牽制アーム８は、ステンレス板材製のプレス成形品からなり、その上端寄りの板面に支軸７でスライド案内されるスライド溝１５を設け、スライド溝１５の下端に、スライド溝の溝幅より大径の揺動穴１６を設ける。支軸７の周囲には圧縮コイル形のばね２２が配置してあり（図５参照）、このばね２２によって牽制アーム８の揺動基端側が、ベース６から離れる向きに移動付勢してある。牽制アーム８の上半側は一定幅に形成するが、下半側は上半側より広幅に形成し、さらに下すぼまり状に形成する。上半部と下半部との間に、掛止ピン９を受け入れるための凹部１７を折り曲げ形成し、凹部１７に臨む段壁１８からアーム下端寄りにわたって、掛止ピン９と係合する連繋溝１９を通設する。牽制アーム８のアーム板面の上部には、操作板２０でスライド操作される係合ピン２４がかしめ固定され、アーム板面の中途部にはストッパーピン２３がかしめ固定してある。
【００２８】
連繋溝１９は、段壁１８側に形成した溝開口１９ａと、溝開口１９ａに連続する上端の導入溝１９ｂと、逆Ｊ字状の主溝１９ｃとからなる。溝開口１９ａは、掛止ピン９の突端のフランジ部の直径より僅かに広幅に形成し、他の溝部分１９ｂ・１９ｃは掛止ピン９の軸部の直径より僅かに広幅に形成する。連繋溝１９の溝端に臨んで、換気開放時の掛止ピン９を弾性的に係合保持するばね板２１がかしめ固定してある。
【００２９】
図４および図５に示すように切り換え構造は、ベース６と、ベース６のガイド溝１２に挿嵌されて上下スライド自在に係合案内されるスライダー２５と、スライダー２５に連結ピン２６でかしめ固定される操作板２０と、先の連結ピン２６に着脱可能に装着される切換ノブ１０などで構成する。スライダー２５はガイド溝１２でスライド案内される断面工字状のスライド部２５ａと、ベース６および牽制アーム８の外面を覆うカバー壁２５ｂとを一体に成形したプラスチック成形品からなる。
【００３０】
図６および図７に示すように、スライド部２５ａの外面に位置するカバー壁２５ｂの表面には凹部３０が設けてあり、凹部３０の一側縁に先の操作板２０を組むための溝３１が開口してある。操作板２０はステンレス薄板を階段状に折り曲げたプレス成形品からなり、ベース６の板状壁１３と対向する面壁に、係合ピン２４を介して牽制アーム８を同行スライド操作するための操作溝３２が形成してある（図４参照）。牽制アーム８と係合ピン２４とは支軸７を中心にして内外に揺動するが、この揺動動作を許すために、操作溝３２は係合ピン２４の揺動軌跡に対応して部分円弧状に形成され、その溝端は開口してある。溝３１を介して凹部３０に露出する操作板２０の板面を、連結ピン２６でスライダー２５にかしめ固定することにより、操作板２０がスライダー２５と一体化してある。
【００３１】
図６に示すように連結ピン２６は、スライダー２５を貫通する軸部３４と、スライダー２５の外面に露出する係合軸部３５と、係合軸部３５の外端に張り出し形成されるフランジ３６とを一体に備えている。軸部３４は操作板２０、スライダー２５、および鋼板製の当板３７に挿通した状態で、その軸端がかしめ処理される。この固定状態において、フランジ３６の係合軸部３５側の端面は、凹部３０の開口縁を囲む周囲壁３８より寸法Ｈの分だけ突出している。この突出寸法Ｈは、後述するノブ腕４０の係合座４５の厚み寸法と同じ寸法か、これより僅かに小さく設定してある。切換ノブ１０は、連結ピン２６を利用してその係合軸部３５に着脱可能に装着される。
【００３２】
図７において切換ノブ１０は、厚みが０．５ｍｍのステンレス薄板を階段状に折り曲げてなるノブ腕４０と、ノブ腕４０の一端に固定されるノブ本体４１と、ノブ腕４０に装着されるロック体４２とロックばね４３とで構成する。ノブ腕４０は、凹部３０の周囲壁３８に接合される係合座４５と、係合座４５の一側端に連続して折り曲げられる腕部４６と、腕部４６の端部から係合座４５と逆向きに折り曲げられる締結座４７とを一体に備えている。
【００３３】
係合座４５と腕部４６との隣接隅部から係合座４５の面壁にわたって、先の連結ピン２６と係合する連結穴４８が形成されており、さらに、係合座４５の外辺部に沿って、一対の連結部４９が膨出形成してある。連結穴４８は、係合座４５の側に形成されるトンネル断面状の係合穴４８ａと、係合穴４８ａに連続して腕部４６の基部に形成される横長四角形状の切欠４８ｂとで構成してある。腕部４６の板面には開口５０が形成してある。使用状態における腕部４６は、窓２の揺動先端と開口枠１に装着したシール体Ｓとのシール隙間Ｅを内外に横断している（図５参照）。
【００３４】
ノブ本体４１は、直方体状のプラスチック成形品からなり、その下面側の締結凹部に先の締結座４７をビス５２で締結することにより、ノブ腕４０が一体化してある。ノブ本体４１の内部には窓２側へ向かって開口する凹部５３が形成され、その開口縁にロック体４２を組むための切欠５４が凹み形成してある。ノブ本体４１の上下周面には緩やかに凹む指掛部５５が形成してあり、外面には切り換え位置を示す指標５６が設けてある。ノブ本体４１にはストラップ７３が装着してある（図７参照）。
【００３５】
ロック体４２は、ノブ腕４０より薄い厚みが０．３ｍｍのステンレス薄板を素材にして形成してあり、ノブ腕４０の係合座４５および腕部４６に沿って折り曲げられるロック座５８およびロック腕５９と、ロック腕５９の端部に折り曲げられる操作部６０とを一体に備えている。この実施例のロック体４２は、それ自体がロックばね４３を兼ねている。ロック座５８には、連結ピン２６のフランジ３６と係合する円形のロック穴６１が形成されており、ロック腕５９との隣接縁には一対のガイド爪６２が斜めに折り起こしてある。また、ロック座５８の遊端周縁には、先に説明した連結部４９に差し込み係合される係合爪６３が形成してある。
【００３６】
ロック腕５９は、ロック座５８に連続して折り曲げられる幅狭の腕基部６５と、腕基部６５に連続する広幅腕部６６とで構成してあり、これら両者６５・６６の間に段部６７が形成してある。段部６７の段差寸法はノブ腕４０の厚み寸法に一致させてある。また、広幅腕部６６の幅寸法は、ノブ腕４０に設けた開口５０の幅寸法より僅かに小さく設定してあり、その板面には操作窓６８が開口してある。操作部６０は断面コ字状に折り曲げて形成してあり、その端部に指先を掛けるための操作壁７０を備えている。操作壁７０に隣接する凹壁の板面中央にはビス穴７１が形成してある。
【００３７】
一対の係合爪６３を連結部４９に差し込み係合することにより、ロック体４２をノブ腕４０と一体化することができる。この状態において、ロック体４２のロック座５８はノブ腕４０の係合座４５に密着しており（図６参照）、操作部６０の全体はノブ本体４１の凹部５３内に収容されている。また、広幅腕部６６は開口５０に嵌まり込んで、開口５０の厚み範囲内に位置している。したがって、ロック体４２を付加することで、窓２の揺動先端と開口枠１とのシール隙間Ｅを横断する腕部４６の厚みが、ロック体４２の厚み分だけ増加するのを防止できる。
【００３８】
ロック体４２は、ロック座５８が係合座４５に密着するロック姿勢（図６に示す状態）と、ロック座５８が係合座４５から浮き離れるロック解除姿勢（図１０に示す状態）との間で変位でき、操作壁７０を指で引き寄せ操作し、あるいは操作窓６８を指やドライバーなどを掛けてノブ本体４１の側へ引き寄せ操作することにより、ロック体４２をロック姿勢からロック解除姿勢に切り換えることができる。操作壁７０あるいは操作窓６８に加えられていた外力を開放すると、ロック体４２は自己の弾性でロック姿勢に復帰する。
【００３９】
以上のように構成した切換ノブ１０は、常態において所定の場所に保管されており、窓２を換気開放位置あるいは全開放位置まで開放する際などに、連結ピン２６に切換ノブ１０を連結することにより牽制アーム８を上下に切り換え操作することができる。切換ノブ１０を連結ピン２６に連結する際には、窓２を開放したのち、係合座４５をスライダー２５のカバー部２５ｂに外接させ、連結穴４８の切欠４８ｂをフランジ３６にあてがった状態で、切換ノブ１０をカバー部２５ｂに押し付けながらスライド操作することにより、ノブ腕４０の連結穴４８を係合軸部３５に差し込み係合でき、同時に、ロック体４２のロック穴６１をフランジ３６に外嵌係合できる。このように連結が完了した状態を図１および図９に示している。
【００４０】
上記の連結状態において、係合座４５の周辺壁は凹部３０の周囲壁３８で受け止められており、連結穴４８の周縁壁がフランジ３６の係合軸部３５側の端壁によって僅かに撓み変形されている。つまり、係合座４５は自己の弾性によって変形応力を生じており、したがって、係合座４５の周辺壁を凹部３０の周囲壁３８に密着させることができる。また、ロック体４２は、図１に示すようにそのロック座５８が係合座４５に密着する状態で、ロック穴６１がフランジ３６の基端部側に外嵌係合している。したがって、切換ノブ１０を連結ピン２６に対して、全周囲方向にぐらつく余地のない状態で確りと固定できる。また、ノブ腕４０の腕部４６は、図１に示すようにシール体Ｓを局部的に押圧変形させてシール隙間Ｅを内外に横断しており、ロック腕５９の広幅腕部６６は、腕部４６に設けた開口５０の内部に入り込んでいる。したがって、ロック体４２が付加してあるにもかかわらず、シール体Ｓの弾性変形量を従来の切換ノブと同等にして、シール体Ｓの劣化を極力避けることができる。
【００４１】
換気ステー４は、切り換え構造を切換ノブ１０で上下に切り換え操作することにより、牽制アーム８を下方の待機位置と、上方の作動位置とに同行スライドできる。牽制アーム８が待機位置にあるとき（図４に示す状態）、窓２に固定した掛止ピン９は凹部１７内を内外方向へ出入りでき、したがって、窓２は全閉状態から直接全開放操作できる。また、支軸７の対向辺部がスライド溝１５と係合しているので、牽制アーム８は支軸７を中心にして揺動できない状態になっている。切欠部１４より下方に位置しているストッパーピン２３によっても、牽制アーム８の揺動が規制されている。
【００４２】
切換ノブ１０を待機位置から上方スライド操作すると、牽制アーム８が同行スライドして、図８に示すように、支軸７が揺動穴１６内に入り込み、ストッパーピン２３が切欠部１４に臨む状態となって、牽制アーム８は揺動可能な状態に切り換わる。さらに、牽制アーム８の連繋溝１９の導入溝１９ｂが掛止ピン９に外嵌して、牽制アーム８と掛止ピン９とが互いに係合する。この状態で図３に示すように窓２を開放操作することにより、牽制アーム８が掛止ピン９に同行して室外側へ揺動し、掛止ピン９は連繋溝１９の奥端まで移動したのちばね板２１で挟持されて、換気開放位置に保持される。
【００４３】
換気開放位置にあった窓２を閉じ操作すると、図５に示すように窓２の揺動先端の室内側の窓枠面がシール体Ｓに密着する。この状態においても切換ノブ１０をスライド操作して、牽制アーム８を待機位置に切り換えることができる。切換ノブ１０を取り外す場合には、窓２を開放したのち、操作壁７０あるいは操作窓６８に指先をあてがって、ロック体４２をノブ本体４１の側へ引き寄せ操作する。これにより、ロック座５８は係合爪６３の突端を支点にして係合座４５から斜めに浮き離れ、図１０に示すようにロック穴６１の大半の部分がフランジ３６から抜け出る。この状態のままで、切換ノブ１０を連結ピン２６から遠ざかる向きへスライド操作すると、ノブ腕４０の連結穴４８が係合軸部３５から分離するので、切換ノブ１０を取り外すことができる。
【００４４】
以上のように構成した切換ノブ１０によれば、フランジ３６の突出寸法Ｈにばらつきがあったとしても、切換ノブ１０を常に適正に連結ピン２６に連結でき、しかも連結した状態において切換ノブ１０がぐらつくのを防止できる。したがって、切換ノブ１０による換気ステー４の切り換え操作を円滑にしかも的確に行なうことができる。また、連結ピン２６に装着された切換ノブ１０は、ロック体４２をロック解除操作することで連結ピン２６から簡単に取り外して、所定の場所に保管することができる。
【００４５】
連結ピン２６の構造、寸法および配置寸法は従来の換気ステーと同じであるので、ロック体４２を備えている切換ノブ１０でありながら、既存の換気ステーにもそのまま適用することができ、切換ノブ１０の着脱や、切換ノブ１０による換気ステーの切り換え操作を円滑に行なえる。なお、連結ピン２６に装着した切換ノブ１０は取り外し不能とすることができ、その場合には、操作部６０に設けたビス穴７１に挿通したビスをノブ本体４１の凹部５３に設けたねじ下穴にねじ込んで、ロック体４２をロック解除操作不能とする。つまりロック体４２を連結ピン２６に対して分離不能に固定することができる。
【００４６】
図１１および図１２は本発明に係る切換ノブ１０の別の実施例を示す。そこでは、上記の実施例と同様にロック体４２を板ばねで形成して、ロック体４２がロックばね４３を兼ねるようにした。ロック体４２は、係合座４５とほぼ同じ大きさで同形のロック座５８を備えている。ロック座５８には、締結壁７６と、断面がへ字状の係合壁７７とが折り曲げ形成してあり、締結壁７６の２個所がかしめピン７８で係合座４５に固定してある。係合壁７７には、連結ピン２６のフランジ３６と係合するロック穴６１が形成してある。また、ロック穴６１に穴に隣接する係合壁７７の端部には、フランジ３６をロック穴６１へ向かって導入案内するガイド爪７９が形成してある。ロック体４２は、ロック解除構造を備えていないので、先のロック穴６１は、係合壁７７を凹ませて凹部状に形成してある。他は先の実施例と同じであるので、同じ部材に同じ符号を付してその説明を省略する。
【００４７】
連結ピン２６から取り外した状態における切換ノブ１０のロック体４２は、図１２に示すように係合壁７７の遊端寄りが自己の弾性力によって係合座４５に密着している。切換ノブ１０を連結ピン２６に連結する際には、窓２を開放したのち、係合座４５をスライダー２５のカバー部２５ｂに外接させ、連結穴４８をフランジ３６の周面にあてがった状態で、切換ノブ１０をカバー部２５ｂに押し付けながらスライド操作することにより、ノブ腕４０の連結穴４８を係合軸部３５に差し込み係合できる。このとき、ガイド爪７９は係合壁７７の弾性力に抗しながらフランジ３６に乗り上がり、ロック体４２のロック穴６１とフランジ３６の位置とが一致した時点で、ロック穴６１がフランジ３６に落ち込み係合する。
【００４８】
ロック穴６１がフランジ３６に外嵌係合した状態では、図１１に示すように係合壁７７がフランジ３６で押し上げられ、その弾性力によってロック穴６１の端壁がフランジ３６に密着している。したがって、切換ノブ１０を連結ピン２６に対して、全周囲方向にぐらつく余地のない状態で確りと固定できる。また、切り換え構造を切換ノブ１０で上下に切り換え操作することにより、上記の切換ノブ１０と同様に牽制アーム８を下方の待機位置と、上方の作動位置とに同行スライドできる。
【００４９】
切換ノブ１０を取り外す場合には、切換ノブ１０の全体をいずれか一方の連結ピン２６を支点にしてねじり操作する。すると、一方（揺動先端側）のロック穴６１の開口縁が、係合壁７７の弾性力に抗しながらフランジ３６に乗り上がる。この状態で切換ノブ１０の全体を逆向きにねじり操作すると、同様に他方のロック穴６１の開口縁が、係合壁７７の弾性力に抗しながらフランジ３６に乗り上がって、両連結ピン２６から分離できる。上記のように、図１１および図１２に係る切換ノブ１０は、ロック穴６１を有底穴で形成するので、ロック解除構造を設ける必要がなく、その分だけロック体４２の構造を簡素化できる。また、切換ノブ１０を連結ピン２６に対してより簡単に着脱できる。
【００５０】
図１３および図１４は本発明に係る切換ノブ１０のさらに別の実施例を示す。そこでは、図１〜図１０で説明した実施例と同様にロック体４２を板ばねで形成した。ロック体４２は、係合座４５とほぼ同じ大きさで同形のロック座５８を備えており、ロック腕５９の換わりにロック解除用の解除爪８１をロック座５８と一体に形成した。ロック座５８には、連結ピン２６のフランジ３６と係合する円形のロック穴６１が形成してある。ロック座５８の対向辺部の一方には一対のガイド爪６２が斜めに折り起こしてあり、他方の辺部には連結部４９に差し込み係合される一対の係合爪６３が形成してある。これら係合爪６３の間にロック解除用の解除爪８１をへ字状に折り曲げ形成した。他は先の実施例と同じであるので、同じ部材に同じ符号を付してその説明を省略する。
【００５１】
切換ノブ１０を連結ピン２６に連結した状態では、連結穴４８が係合軸部３５に係合し、同時に、ロック体４２のロック穴６１がフランジ３６に外嵌係合している。このときの係合座４５は自己の弾性によって変形応力を生じて、係合座４５の周辺壁を凹部３０の周囲壁３８に密着させている。また、解除爪８１の先端側はロック座５８から浮き離れている。切換ノブ１０を取り外す場合には、窓２を開放したのち、解除爪８１を押し込み操作する。これにより、ロック座５８は係合爪６３の突端を支点にして係合座４５から斜めに浮き離れ、ロック穴６１の大半の部分がフランジ３６から抜け出る。この状態のままで、切換ノブ１０を連結ピン２６から遠ざかる向きへスライド操作すると、ノブ腕４０の連結穴４８が係合軸部３５から分離するので、切換ノブ１０を取り外すことができる。以上のように構成した切換ノブ１０は、先に説明した切換ノブに比べて、ロック解除構造を大幅に簡素化して切換ノブ１０の製造に要するコストを削減できる。また、解除爪８１をロック解除操作することで、ロック体４２を連結ピン２６から簡単に取り外して、切換ノブ１０を所定の場所に保管することができる。
【００５２】
上記の実施例以外に、ロック体４２は板ばね材で形成する必要はなく、その場合にはロックばね４３を別途設けて、ロック体４２をロック姿勢に付勢することができる。連結ピン２６は２個以上あればよいが、場合によっては、操作具１０を付属金具４に凹凸係合し、さらに１個の連結ピン２６に操作具１０を係合して、操作具１０を付属金具４に連結することができる。操作部６０は、開口５０を介してノブ腕４０の屋内面側に露出させることができる。その場合には、ノブ本体４１と操作部６０とを同時に挟み持って、ロック体４２をロック解除操作できる。
【００５３】
図１から図１０で説明したロック体４２は、係合座に対してかしめピンで固定することができる。本発明の操作具は、換気ステー以外の窓用の付属金具に適用できる。例えば、非常進入用の窓の錠装置を解錠操作する操作具として使用することができる。
【図面の簡単な説明】
【００５４】
【図１】操作具の使用状態を示す横断平面図である。
【図２】換気ステー（付属金具）の概略平面図である。
【図３】換気ステーの正面図である。
【図４】換気ステーの切り換え構造を一部破断正面図である。
【図５】図４におけるＡ−Ａ線断面図である。
【図６】連結ピンと操作具の詳細構造を示す横断平面図である。
【図７】操作具の斜視図、および分解斜視図である。
【図８】換気ステーを切り換えた状態の一部破断正面図である。
【図９】操作具を連結ピンに装着した状態の正面図である。
【図１０】操作具を連結ピンから取り外す途中状態を示す横断平面図である。
【図１１】別の実施例に係る操作具の使用状態を示す横断平面図である。
【図１２】図１１の実施例に係る操作具の斜視図である。
【図１３】さらに別の実施例に係る操作具の使用状態を示す横断平面図である。
【図１４】図１３の実施例に係る操作具の斜視図である。
【図１５】従来の切換ノブの使用状態を示す横断平面図である。
【図１６】従来の切換ノブの斜視図である。
【符号の説明】
【００５５】
２  窓
４  付属金具（換気ステー）
１０  操作具（切換ノブ）
２６  連結ピン
３５  係合軸部
３６  フランジ
４０  ノブ腕
４１  ノブ本体
４２  ロック体
４３  ロックばね
４８  連結穴
６１  ロック穴
【図１】
2010116742.tif 000003
【図２】
2010116742.tif 000004
【図３】
2010116742.tif 000005
【図４】
2010116742.tif 000006
【図５】
2010116742.tif 000007
【図６】
2010116742.tif 000008
【図７】
2010116742.tif 000009
【図８】
2010116742.tif 000010
【図９】
2010116742.tif 000011
【図１０】
2010116742.tif 000012
【図１１】
2010116742.tif 000013
【図１２】
2010116742.tif 000014
【図１３】
2010116742.tif 000015
【図１４】
2010116742.tif 000016
【図１５】
2010116742.tif 000017
【図１６】
2010116742.tif 000018